(57)【要約】【課題】  ジャックとシャンクローラとの間に生じる摩擦力を容易に調整し、それにより、適度なレットオフ荷重、ひいては優れたタッチ感を得ることができるピアノのアクションを提供する。【解決手段】  押鍵された鍵２で突き上げられることにより上方に回動するウィッペン３と、このウィッペン３に回動自在に取り付けられ、ウィッペン３の回動に伴い、ハンマー１０を突き上げることにより回動させるとともに、このハンマー１０が弦Ｓを打弦する前にハンマー１０から抜けるジャック５と、を備え、ジャック５は、Ｌ字状に形成され、上下方向に延びるハンマー突上部５ａを有し、ハンマー突上部５ａは、ハンマー１０を突き上げる頂面５ｃと、弦Ｓを打弦する前にハンマー１０から抜けるＲ面５ｄと、を有し、頂面５ｃおよびＲ面５ｄがシボ加工されている。【選択図】  図２
2004220014.tif 000002
【特許請求の範囲】
【請求項１】
前後方向に延びる鍵の押鍵に伴って作動し、ハンマーを回動させることにより、弦の打弦を行わせるピアノのアクションであって、
押鍵された前記鍵で突き上げられることにより上方に回動するウィッペンと、
このウィッペンに回動自在に取り付けられ、当該ウィッペンの回動に伴い、前記ハンマーを突き上げることにより回動させるとともに、このハンマーが前記弦を打弦する前に当該ハンマーから抜けるジャックと、を備え、
当該ジャックは、Ｌ字状に形成され、上下方向に延びるハンマー突上部を有し、
当該ハンマー突上部は、前記ハンマーを突き上げる頂面と、前記弦を打弦する前に前記ハンマーから抜けるＲ面と、を有し、前記頂面および前記Ｒ面がシボ加工されていることを特徴とするピアノのアクション。
【請求項２】
前記ハンマー突上部の前記頂面および前記Ｒ面を含む部分が着脱自在であることを特徴とする請求項１に記載のピアノのアクション。
【発明の詳細な説明】
【技術分野】
【０００１】
本発明は、鍵の押鍵に伴って作動し、ハンマーを回動させることにより、打弦を行わせるピアノのアクションに関する。
【背景技術】
【０００２】
図６は、従来の一般的なグランドピアノのアクションを示している。このアクション５１は、鍵２の後部に載置された回動自在のウィッペン３と、ウィッペン３に回動自在に取り付けられたレペティションレバー４およびジャック５５と、両者４、５５を復帰方向（同図の反時計方向）に付勢するレペティションスプリング６とを備えている。また、レペティションレバー４およびジャック５５の移動をそれぞれ規制するドロップスクリュー７およびレギュレーティングボタン８などを有している。さらに、レペティションレバー４の前部には、シャンクローラ９を介してハンマー１０が載置されている。
【０００３】
この離鍵状態から、鍵２が押鍵されると、ウィッペン３が突き上げられることにより回動し、レペティションレバー４およびジャック５５がウィッペン３と一緒に上方に移動する。これらの移動に伴い、まず、レペティションレバー４がシャンクローラ９を摺動させながらこれを介してハンマー１０を押し上げ、上方に回動させる。次いで、レペティションレバー４がドロップスクリュー７に係合することにより、ジャック５５がシャンクローラ９を介してハンマー１０を突き上げる。その後、ハンマー１０が、上方に張られた弦Ｓを打弦する直前まで回動した時点で、ジャック５５が、レギュレーティングボタン８に係合することによって、シャンクローラ９から抜ける。このジャック５５の抜けによって、レットオフ感が付与される。そして、ハンマー１０は、アクション５１および鍵２との連結を解かれ、自由回動状態で弦Ｓを打弦する。
【０００４】
一般に、ピアノのタッチ感は、鍵２を弱打したときの鍵２およびアクション５１などの動き始めのときの荷重変化が小さく、ジャック５５が抜ける際に適度なレットオフ荷重が得られるのが好ましいとされており、特にレットオフ荷重は、弱打をコントロールする上で非常に重要となる。このレットオフ荷重を大きく左右する要素は、ジャック５５とシャンクローラ９との間に作用する摩擦力であり、この摩擦力が小さすぎる場合には、レットオフ荷重は小さくなり、また、摩擦力が大きすぎる場合には、レットオフ荷重は大きくなる。
【０００５】
しかし、ジャック５５が、木材または合成樹脂などで構成されるなど、ジャック５５およびシャンクローラ９の材質があらかじめ決まっているので、構成される材質によりおおよその摩擦力が決まってしまい、適度なレットオフ荷重が得られないことがある。また、演奏者によっては、特別なレットオフ荷重を好む者もいる。このため、ジャック５５の摩擦力を調整するために、例えば、ジャック５５が木材の場合においては、硬質な金属棒で適度に擦り磨くことによって、また、合成樹脂の場合においては、シャンクローラ９に例えば、フッ素樹脂の粉や液体などを塗布することによって、摩擦力をそれぞれ小さくしている。
【０００６】
また、アップライトピアノのアクションのジャックとして、例えば、特許文献１に記載されたものが知られている。このジャックは、合成樹脂で構成され、バットスキンとの接触面である頭部面が平面になっており、その頭部面になし地仕上げを施したものである。それにより、ジャックとバットスキンとの間に適度な摩擦力を生じるようにすることにより、鍵を押鍵したときに、ジャックの突上げ力がバットに十分伝わるようにしている。
【０００７】
しかし、前述したピアノのアクション５１では、ジャック５５とシャンクローラ９との間の摩擦力の調整を、ジャック５５の擦り磨きや、シャンクローラ９へのフッ素樹脂の粉等の塗布によって行っているので、その調整を感覚的に行わざるを得ず、適度な摩擦力を得るのに非常に手間がかかる。また、上述した調整方法では、摩擦力を小さくすることしかできないため、一度調整を行うと、もとの状態に戻すことができないとともに、摩擦力が小さすぎる場合には調整を行うことができない。さらに、特許文献１に記載のジャックでは、バットスキンの貼り方やその材質が摩擦力に影響を及ぼすため、摩擦力の調整がやはり必要になるのに対し、ジャックの頭部面に直接、なし地仕上げが施されているので、摩擦力を容易に調整することができない。さらに、長期にわたって使用した場合に、それに伴いジャックの頭部面の摩耗が進むことによって摩擦力が不足するおそれがあり、その場合にも、摩擦力の調整が困難になってしまう。さらには、頭部面が平面になっているので、ジャックがバットスキンからスムーズに抜けにくく、適度なレットオフ荷重が得られにくくなる。
【０００８】
本発明は、このような課題を解決するためになされたものであり、ジャックとシャンクローラとの間に生じる摩擦力を容易に調整し、それにより、適度なレットオフ荷重、ひいては優れたタッチ感を得ることができるピアノのアクションを提供することを目的としている。
【０００９】
【特許文献１】実願昭５４−２５５８７号（実開昭５５−１２８０８１号）のマイクロフィルム（第３頁５〜１５行）
【発明の開示】
【課題を解決するための手段】
【００１０】
この目的を達成するために、本発明は、前後方向に延びる鍵の押鍵に伴って作動し、ハンマーを回動させることにより、弦の打弦を行わせるピアノのアクションであって、押鍵された鍵で突き上げられることにより上方に回動するウィッペンと、このウィッペンに回動自在に取り付けられ、ウィッペンの回動に伴い、ハンマーを突き上げることにより回動させるとともに、このハンマーが弦を打弦する前にハンマーから抜けるジャックと、を備え、ジャックは、Ｌ字状に形成され、上下方向に延びるハンマー突上部を有し、ハンマー突上部は、ハンマーを突き上げる頂面と、弦を打弦する前にハンマーから抜けるＲ面と、を有し、頂面およびＲ面がシボ加工されていることを特徴とする。
【００１１】
この構成によれば、ジャックのハンマー突上部に形成されたＲ面により、ジャックがシャンクローラから抜けやすくなる。また、ハンマー突上部の頂面およびＲ面にシボ加工がされているので、シボの矢高を適切に設定することによって、シャンクローラとの間に生じる摩擦力を適正に設定することができ、それにより、適度なレットオフ荷重、ひいては優れたタッチ感を得ることができる。  
【００１２】
この場合、ハンマー突上部の頂面およびＲ面を含む部分が着脱自在であることが好ましい。  
【００１３】
この構成によれば、ハンマー突上部の頂面およびＲ面を含む部分が着脱自在であるので、この着脱自在の部分として、様々な矢高を持つようにシボ加工された複数種類のものをあらかじめ用意することで、所望の摩擦力が得られるものを選択するだけで、摩擦力の調整をさらに容易に行うことができる。また、頂面およびＲ面の摩耗が進むことによって摩擦力が不足するようになった場合には、その部分を交換するだけで適度な摩擦力を回復させることができるとともに、摩擦力が小さすぎる場合においての調整も容易に行うことができる。
【図面の簡単な説明】
【００１４】
【図１】本発明の第１実施形態を適用したグランドピアノのアクションを含む鍵盤装置の側面図である。
【図２】図１のジャックの斜視図である。
【図３】実施形態のジャックに対して行った試験の結果を、比較例とともに示す図である。
【図４】本発明の第２実施形態によるジャックの斜視図である。
【図５】図４のハンマー突上部３５ａの拡大図である。
【図６】従来のグランドピアノのアクションを含む鍵盤装置の側面図である。
【発明を実施するための最良の形態】
【００１５】
以下、本発明の好ましい実施形態を、図面を参照しながら説明する。図１は、本発明の実施形態によるグランドピアノのアクション１を示している。なお、以下の説明では、アクション１の構成要素のうち、図５に示した従来のアクション５１と同じ構成のものについては、同じ参照番号を用いるものとする。
【００１６】
同図に示すように、このグランドピアノのアクション１は、前後方向に延びる鍵２の支点（図示せず）よりも後方で且つ鍵２の上方に配置されており、後端部を中心として回動自在のウィッペン３と、ウィッペン３に回動自在に取り付けられたレペティションレバー４およびジャック５と、両者４、５を復帰方向（同図の反時計方向）に付勢するレペティションスプリング６とを備えている。また、レペティションレバー４およびジャック５の移動をそれぞれ規制するドロップスクリュー７およびレギュレーティングボタン８などを有している。
【００１７】
このアクション１は、鍵２を載置する筬（図示せず）の左右端部にそれぞれ設けられたブラケット１１（図１に一方のみ図示）に取り付けられている。左右のブラケット１１、１１間には、ウィッペンレール１２が渡されており、このウィッペンレール１２にねじ止めした各ウィッペンフレンジ１３に、ウィッペン３の後端部が回動自在に取り付けられている。ウィッペン３は、前後方向に延び、中央部に下方に突出するウィッペンヒール１５を有するとともに、鍵２の上面後部に設けられたキャプスタンスクリュー１４に、ウィッペンヒール１５を介して載置されている。
【００１８】
レペティションレバー４は、斜め前上がりに前後方向に延びており、その中央部でウィッペン３に回動自在に取り付けられている。レペティションレバー４の前部の所定位置には、上下方向に貫通するジャック案内孔４ａが前後方向に延びるように形成されている。
【００１９】
ジャック５は、ポリアセタールなどの耐摩耗性に優れた合成樹脂の射出成形品で構成されている。図２に示すように、ジャック５は、上下方向に延びる断面矩形状のハンマー突上部５ａと、その下端から前方にほぼ直角に延びるレギュレーティングボタン当接部５ｂとから、Ｌ字状に形成されており、その角部においてウィッペン３に回動自在に取り付けられている。図１に示すように、ハンマー突上部５ａの上端部は、レペティションレバー４のジャック案内孔４ａに、前後方向に移動自在に係合するとともに、離鍵状態においては、シャンクローラ９と微小な間隔を存して対向している。
【００２０】
また、ハンマー突上部５ａは、平坦な頂面５ｃと、その上端部の後ろ側の角部に、頂面５ｃに連なるように形成されたＲ面５ｄと、を有している。頂面５ｃおよびＲ面５ｄには、それらの全面にわたって均一にシボ加工がされている。このシボは、例えば、金型にあらかじめシボ用の凹凸を付けることによって、射出成形の際に形成される。また、シボの矢高は、例えば、１〜２０μｍであり、シャンクローラ９との間に適正な摩擦力が得られるものが選択される。
【００２１】
また、ジャック５のハンマー突上部５ａの中間部には、ジャックボタンスクリュー１６が、前後方向に貫通した状態で進退自在に螺合している。ジャックボタンスクリュー１６の先端部には、ジャックボタン１７が一体に設けられており、このジャックボタン１７は、離鍵状態では、ウィッペン３に立設されたスプーン１８に当接している。したがって、このジャックボタンスクリュー１６を回すことによって、離鍵状態におけるジャック５の角度位置を調整することが可能である。
【００２２】
一方、ハンマー１０は、前後方向に延びるハンマーシャンク１９と、その先端に取り付けたハンマーヘッド２０で構成されており、ハンマーシャンク１９の基端部において、ハンマーシャンクレール２１にねじ止めしたハンマーシャンクフレンジ２２に回動自在に取り付けられている。シャンクローラ９は、例えば、内側のクロスとその外側に巻いたスキンとから円柱状に形成されており、ハンマーシャンク１９の下面前部の所定位置に取り付けられている。シャンクローラ９は、レペティションレバー４の上面のジャック案内孔４ａ付近に、これをまたいだ状態で載置されている。また、ハンマーシャンクフレンジ２２の下面には、レペティションレバー４の上方への回動を規制するドロップスクリュー７が進退自在に螺合し、レバースキン２３を貼り付けたレペティションレバー４の前端部と所定の間隔をもって対向している。
【００２３】
ハンマーシャンクレール２１の下面には、レギュレーティングレール２４がねじ止めされており、また、レギュレーティングレール２４の下面に、ジャック５の上方への回動を規制するレギュレーティングボタン８が進退自在に螺合しており、ジャック５のレギュレーティングボタン当接部５ｂの前端部と所定の間隔をもって対向している。
【００２４】
次に、上記構成のアクション１の動作を、図１を参照しながら説明する。図１に示す離鍵状態から鍵２が押鍵されると、ウィッペン３が突き上げられることにより回動し、レペティションレバー４およびジャック５がウィッペン３と一緒に上方に移動する。これらの移動に伴い、まず、レペティションレバー４がシャンクローラ９を摺動させながらこれを介してハンマー１０を押し上げ、上方に回動させる。次いで、レペティションレバー４がドロップスクリュー７に係合することにより、その回動が阻止されることで、ジャック５のハンマー突上部５ａの上端部がジャック案内孔４ａよりも突出し、頂面５ｃがシャンクローラ９に当接することによりハンマー１０を突き上げる。その後、ハンマー１０が、上方に張られた弦Ｓを打弦する直前まで回動した時点で、ジャック５のレギュレーティングボタン当接部５ｂが、レギュレーティングボタン８に係合する。これに伴い、ジャック５の上方への移動が阻止されることで、ジャック５は、図１の時計方向に回動し、ジャック突上部５ａのＲ面５ｄを介してシャンクローラ９から抜ける。これにより、ハンマー１０は、アクション１および鍵２との連結を解かれ、自由回動状態で弦Ｓを打弦する。
【００２５】
以上のように、本実施形態によれば、ジャック５のハンマー突上部５ａにＲ面５ｄが形成されているので、このＲ面５ｄによって、ジャック５がシャンクローラ９から抜けやすくなる。また、ハンマー突上部５ａの頂面５ｃおよびＲ面５ｄの全面にわたって均一にシボ加工がされているので、シボの矢高を適切に設定することによって、シャンクローラ９との間に生じる摩擦力を適正に設定することができ、それにより、適度なレットオフ荷重、ひいては優れたタッチ感を得ることができる。なお、ハンマー１０の重さは低音域のものほど大きいので、シボの矢高を、音域に応じて、低音域のものほど小さく設定してもよい。
【００２６】
図３は、本実施形態による上述した効果を確認するために、ジャック５に対して行ったレットオフ荷重の測定結果を、比較例とともに示している。実施形態のジャック５は、ポリアセタールで構成されるとともに、ハンマー突上部５ａの頂面５ｃおよびＲ面５ｄの全面にわたって、矢高６μｍのシボを均一に形成したものである。これに対し、比較例のジャックは、同じポリアセタールで構成される一方、シボは省略されている。また、実施形態および比較例について、各５個の試験体を用意し、測定によって得られたレットオフ荷重のそれぞれの平均値を図示した。
【００２７】
同図に示すように、この試験結果によれば、実施形態のジャック５では、比較例のジャックよりも、レットオフ荷重が６．３ｇｆが増加しており、シボの形成によってレットオフ荷重をコントロールできることが確認された。
【００２８】
図４は、本発明の第２実施形態によるグランドピアノのアクションのジャック３５を示している。本実施形態は、上述した第１実施形態と比較し、ハンマー突上部３５ａの構成のみが異なる。すなわち、第１実施形態では、ハンマー突上部５ａ全体が、レギュレーティングボタン当接部５ｂと一体に形成されているのに対し、この第２実施形態では、ハンマー突上部３５ａは、レギュレーティングボタン当接部３５ｂと一体の突上部本体３５ｅと、その先端に取り付けられた、頂面３５ｃおよびＲ面３５ｄを含む先端部３５ｆとによって構成されている。この先端部３５ｆの頂面３５ｃおよびＲ面３５ｄには、第１実施形態と同様にシボ加工がされている。
【００２９】
図５に示すように、先端部３５ｆには、下方に突出する断面矩形状の突起３５ｇが形成され、突上部本体３５ｅの上面には、突起３５ｇに対応する凹部３５ｈが形成されている。そして、先端部３５ｆは、その突起３５ｇを突上部本体３５ｅの凹部３５ｈに嵌合させた状態で、突上部本体３５ｅの側方からねじ３６を締め付けることによって、突上部本体３５ｅに着脱自在に取り付けられている。また、先端部３５ｆとして、例えば１〜２０μｍの範囲内の互いに異なるシボの矢高を有する複数種類のものがあらかじめ用意されている。したがって、これらの複数種類の先端部３５ｆの中から、所望の摩擦力が得られるものを選択するだけで、シャンクローラ９との間に生じる摩擦力を容易に調整し、それにより、適度なレットオフ荷重、ひいては優れたタッチ感を得ることができる。また、頂面３５ｃおよびＲ面３５ｄの摩耗が進むことによって摩擦力が不足するようになった場合には、先端部３５ｆを交換するだけで適度な摩擦力を回復させることができるとともに、摩擦力が小さすぎる場合においての調整も容易に行うことができる。
【００３０】
なお、本発明は、説明した実施形態に限定されることなく、種々の形態で実施することができる。例えば、説明した実施形態では、ジャック５、３５の頂面５ｃ、３５ｃおよびＲ面５ｄ、３５ｄの全面にわたって均一にシボ加工がされているが、シボ加工を頂面およびＲ面に対して部分的に行ってもよい。
【００３１】
また、第２実施形態では、ジャック３５の突上部本体３５ｅに先端部３５ｆを着脱自在に取り付けるのにねじ３６を併用しているが、着脱自在の取付方法は任意である。例えば、ねじ３６を省略し、突起３５ｇと凹部３５ｈを互いにきつく嵌合するように形成することによって着脱自在としてもよい。さらに、本実施形態は、ハンマー突上部３５ａの先端部３５ｆが着脱自在に構成されているが、ハンマー突上部３５ａ全体を着脱自在としてもよい。
【００３２】
さらに、説明した実施形態は、本発明をグランドピアノのアクションに適用した例であるが、これに代えてアップライトピアノに適用してもよいことは、もちろんである。その他、本発明の趣旨の範囲内で、細部を適宜、変更することが可能である。
【符号の説明】
【００３３】
１  アクション
２  鍵
３  ウィッペン
５  ジャック
５ａ  ハンマー突上部
５ｃ  頂面
５ｄ  Ｒ面
１０  ハンマー
３５  ジャック
３５ａ  ハンマー突上部
３５ｃ  頂面
３５ｄ  Ｒ面
３５ｅ  突上部本体
３５ｆ  先端部
Ｓ  弦
【図１】
2004220014.tif 000003
【図２】
2004220014.tif 000004
【図３】
2004220014.tif 000005
【図４】
2004220014.tif 000006
【図５】
2004220014.tif 000007
【図６】
2004220014.tif 000008